(57)【要約】【課題】脳機能障害の鑑別に必要なデータを多面的に取得できる賦活脳波計測装置を提供する。【解決手段】本発明の賦活脳波計測装置１０は、被検者の頭部の両サイドに当て付けられる一対の当付部５と、これらの当付部同士の間に架け渡されて被検者の頭部上に装着されるヘッドバンド３と、ヘッドバンド３に設けられ、被検者に対して刺激を与えた際に得られる賦活脳波を検知する脳波検知部２０と、ヘッドバンドに設けられ、脳波検知部２０の動作を制御する制御部２５と、を備える。【選択図】  図１
2018183283.tif 000002
【特許請求の範囲】
【請求項１】
被検者の頭部の両サイドに当て付けられる一対の当付部と、
これらの当付部同士の間に架け渡されて被検者の頭部上に装着されるヘッドバンドと、
前記ヘッドバンドに設けられ、被検者に対して刺激を与えた際に得られる賦活脳波を検知する脳波検知部と、
前記ヘッドバンドに設けられ、前記脳波検知部の動作を制御する制御部と、
を備えることを特徴とする賦活脳波計測装置。
【請求項２】
前記脳波検知部は、被検者の頭部の所定部位に垂直方向から当て付く電極部と、前記電極部を被検者の頭部に押し付ける方向に付勢する付勢手段とを有することを特徴とする請求項１に記載の賦活脳波計測装置。
【請求項３】
前記電極部は、前記付勢手段によって付勢されて銀皿電極を保持する一次電極部と、前記銀皿電極と電気的に接触されて被検者の頭部に直接に接触されるとともに生理食塩水が含浸されて成るフェルト電極を保持する二次電極部とを有し、
前記二次電極部が前記一次電極部に対して着脱自在に取り付けられることを特徴とする請求項２に記載の賦活脳波計測装置。
【請求項４】
前記一次電極部は、生理食塩水を収容する収容体と、前記二次電極部が前記一次電極部に取り付けられる際に前記収容体を開放して前記収容体内の生理食塩水を前記フェルト電極に常時浸み込ませる手段とを更に有することを特徴とする請求項３に記載の賦活脳波計測装置。
【請求項５】
前記一対の当付部は、被検者の耳を覆う耳当部を備えており、
前記耳当部に、被検者に対して聴覚刺激を与える音を発生する音発生部を備えることを特徴とする請求項１から４のいずれか１項に記載の賦活脳波計測装置。
【請求項６】
前記被検者の呼吸を検知する呼吸検知部を備えることを特徴とする請求項１から５のいずれか１項に記載の賦活脳波計測装置。
【請求項７】
前記呼吸検知部は、発光部と、受光部と、被検者からの呼気によって作動するフラップと、前記フラップに設けられるとともにフラップの作動に伴って前記発光部と前記受光部との間の光路に侵入して前記発光部から前記受光部へ向かう光を遮断する遮光体とを有することを特徴とする請求項６に記載の賦活脳波計測装置。
【請求項８】
請求項６又は７に記載の賦活脳波計測装置に対して接続され、被検者に対して嗅覚刺激を提示する臭気発生装置において、
臭気源と該臭気源から臭気を吐出させるための吐出手段とを備える本体と、
前記吐出手段により吐出される臭気を集束させる集臭体と、
前記集臭体により集束された臭気を被検者の鼻腔へ向けて供給するための供給手段と、を有することを特徴とする臭気発生装置。
【請求項９】
前記集臭体が前記本体に対して着脱可能に取り付けられることを特徴とする請求項８に記載の臭気発生装置。
【請求項１０】
前記本体は、その高さ及び傾きを調整するための調整手段を有することを特徴とする請求項８又は９に記載の臭気発生装置。
【請求項１１】
前記呼吸検知部が被検者の吸気状態を検知したときに臭気が吐出するように制御されることを特徴とする請求項８から１０のいずれか１項に記載の臭気発生装置。
【発明の詳細な説明】
【技術分野】
【０００１】
本発明は、認知症及び神経疾患（精神疾患）を含む脳機能障害の鑑別に利用できる賦活脳波計測装置、及び、この賦活脳波計測装置に接続される刺激提示装置に関する。なお、ここでの刺激提示装置は、被検者に対して嗅覚に刺激を与える臭気発生装置、聴覚に刺激を与える音発生装置、視覚に刺激を与える画像提示装置、触覚に刺激を与える触覚刺激装置を意味しており、このような刺激提示装置は、賦活脳波計測装置と連動して、被検者の賦活脳波を測定するに際して用いられる。
【背景技術】
【０００２】
近年、高齢化社会に伴い、認知症は重大な関心事となっている。通常、認知症は年齢とともに症状が進行するものであり、発症時期を明確に把握、特定することが困難な疾病であることが認識されている。また、実際に認知症を発症して症状が進行してしまうとその回復が難しい反面、普段の生活習慣などに注意することで発症を予防したり、発症初期（実際に発症していたり、発症が疑わしい状態が含まれる）に適切な対処をすることで、その進行を遅らせられることも知られている。
【０００３】
そのため、最近では、認知症の早期発見、早期対応のために、一般内科医に講習を課す「認知症対応かかりつけ医・認知症サポート医」等の制度が普及しつつある。また、これに関連して、本件の発明者は、被検者が特別な診断機関等に出向くことなく、家庭で睡眠検査装置を用いて睡眠データを取得することで認知症のリスクを早期に発見できる認知症リスク判定システムについても提案している（特許文献１参照）。
【先行技術文献】
【特許文献】
【０００４】
【特許文献１】特開２０１６−２２３１０号
【発明の概要】
【発明が解決しようとする課題】
【０００５】
ところで、認知症の原因疾病は８０近くに及ぶが、日本の認知症は、アルツハイマー型認知症（以下「ＡＤ」と称する）、レビー小体型認知症（以下「ＤＬＢ」と称する）、及び、血管性の３種で９０％を占める。血管性は、原因が急激であるため判断を誤ることはないが、ＡＤ及びＤＬＢは、典型的な事例では顕著な差が認められるものの、複合している場合も多く、そのため、睡眠データだけでは、又は、前述したような短時間の講習程度の経験・知識では、或いは、経験が十分な医師でも、正確に鑑別することが難しく、患者の見逃しや誤診（神経・精神疾患と認知症とを混同したり、認知症タイプの判断ミスを起こすなど）する可能性が生じる。
【０００６】
また、このような多岐にわたる神経・精神疾患において、特に、認知症との関係で紛らわしいのは、鬱と統合失調症があり、これら認知症タイプ、認知症か神経・精神疾患か等を正確に鑑別できないと、適切な治療が成されない、或いは、処方等を誤ってしまい、症状を改善できないばかりか悪化させてしまう可能性も生じる。
【０００７】
したがって、認知症及び神経疾患（精神疾患）を含む脳機能障害を効率的に高い精度で容易に鑑別できるようにするべく、脳機能障害の鑑別に必要なデータを多面的に取得できる装置が早急に望まれる。
【０００８】
本発明は、上記した問題に基づいてなされたものであり、脳機能障害の鑑別に必要なデータを多面的に取得できる賦活脳波計測装置、及び、この賦活脳波計測装置と接続して被検者に対して刺激を提示する刺激提示装置を提供することを目的とする。
【課題を解決するための手段】
【０００９】
上記した目的を達成するために、本発明に係る賦活脳波計測装置は、被検者の頭部の両サイドに当て付けられる一対の当付部と、これらの当付部同士の間に架け渡されて被検者の頭部上に装着されるヘッドバンドと、前記ヘッドバンドに設けられ、被検者に対して刺激を与えた際に得られる賦活脳波を検知する脳波検知部と、前記ヘッドバンドに設けられ、前記脳波検知部の動作を制御する制御部と、を備えることを特徴とする。
【００１０】
上記した賦活脳波計測装置は、被検者の頭部に装着され、被検者に対して、刺激提示装置から外的な刺激が与えられた際に賦活する脳波を計測することが可能となっている。賦活計測装置は、被検者の頭部の両サイドに当て付けられる一対の当付部と、これらの当付部同士の間に架け渡されて被検者の頭部上に装着されるヘッドバンドを備えたシンプルな構造となっているため、被検者に対して抵抗感を与えることなく、容易に装着することができる。また、被検者に装着した状態では、ヘッドバンドに設けられた脳波検知部が賦活脳波を検知することが可能となる。この賦活脳波を解析することにより、被検者の脳機能障害の鑑別に必要なデータを取得することが可能となる。
【００１１】
被検者に対して刺激を与える刺激提示装置は、上記した賦活脳波計測装置に接続されて、被検者に対して、嗅覚、聴覚、視覚、触覚の少なくとも１つに、何等かの刺激を与えるように構成されたものであれば良い。また、このような刺激提示装置は、賦活脳波計測装置に組み込まれている制御部によって制御されても良いし、その装置が制御部を備え、賦活脳波計測装置の制御部と連動してその装置が制御されるような構成であっても良い。
【発明の効果】
【００１２】
本発明によれば、脳機能障害の鑑別に必要なデータを多面的に取得することが可能な賦活脳波計測装置が得られる。また、本発明によれば、被検者に対して、賦活脳波の測定が容易に行える刺激提示装置が得られる。
【図面の簡単な説明】
【００１３】
【図１】本発明に係る賦活脳波計測装置の一実施形態を示す斜視図。
【図２】（ａ）は、図１に示すヘッドバンドの断面図、（ｂ）はヘッドバンドに組み込まれる制御部（制御ユニット）の概略斜視図。
【図３】（ａ）は、図１に示す耳当部に着脱自在に取り付けられるイヤパッドの斜視図、（ｂ）は（ａ）のイヤパッドが装着された耳当部の側面図。
【図４】（ａ）は、ヘッドバンドに設けられる脳波検知部付近の断面図、（ｂ）は、脳波検知部における電極部の要部拡大断面図。
【図５】（ａ）は電極部を構成する一次電極部の収容体の上蓋の平面図、（ｂ）は収容体の底蓋の平面図、（ｃ）は底蓋の斜視図、（ｄ）は電極部を構成する二次電極部のフェルト電極の斜視図。
【図６】（ａ）は刺激提示装置の一例を示す臭気発生装置の斜視図、（ｂ）は臭気発生装置の臭気吐出端部に装着されるカバーの斜視図。
【図７】（ａ）は臭気発生装置の断面図、（ｂ）は臭気発生装置の角度、高さを調整する調整手段の部分を示す要部側面図。
【図８】（ａ）は臭気発生装置の臭気吐出端部の平面図、（ｂ）は臭気吐出端部の断面図。
【図９】（ａ）は臭気発生装置の臭気吐出端部に設けられる吐出手段を構成する圧電マイクロブロワの斜視図、（ｂ）は図（ａ）に示す圧電マイクロブロワの要部拡大断面図。
【図１０】圧電マイクロブロワを伴う臭気源（試料ビン）の断面図。
【図１１】（ａ）は図１に示す呼吸検知部を構成する呼吸センサの概略的な正面図、（ｂ）は呼吸センサの概略的な側断面図。
【図１２】臭気発生装置の臭気吐出タイミングを説明するための、呼吸センサにより計測される被検者の呼吸波形図。
【図１３】図１に示す賦活脳波計測装置を被検者に装着した状態を示す概略斜視図。
【図１４】被検者に臭覚刺激を与えたときの賦活脳波の一例の波形図（生データ図）。
【図１５】被検者に異なる刺激臭を与えたときの賦活脳波の一例の波形図（時間周波数解析図）。
【図１６】被検者に対して３点オドボール課題を提示して得られる一般的な脳波図であり、上段は作業記憶が正常な人の波形図、中段は作業記憶が弱っている人の波形図、下段は作業記憶が異常な人の波形図。
【図１７】賦活脳波計測装置、及び、これに接続される刺激提示装置（臭気発生装置、音発生装置）の概略ブロック図。
【図１８】賦活脳波計測装置の別の実施形態を示す斜視図。
【発明を実施するための形態】
【００１４】
以下、添付図面を参照しながら、本発明の実施形態）に係る賦活脳波計測装置、及び、これに接続される刺激提示装置について説明する。
【００１５】
最初に、図１及び図１７を参照して、本実施形態に係る賦活脳波計測装置１０、及び、これに接続される刺激提示装置の概要について説明する。
本実施形態の賦活脳波計測装置（以下、計測装置と称する）１０は、被検者の頭部の両サイドに当て付けられる一対の当付部５と、これらの当付部同士の間に架け渡されて被検者の頭部上に装着されるヘッドバンド３と、ヘッドバンド３に設けられ、被検者に対して刺激を与えた際に得られる賦活脳波を検知する脳波検知部２０と、ヘッドバンド３に設けられ、脳波検知部の動作等を制御する制御部２５と、を備えている。
【００１６】
また、本実施形態の計測装置１０に対しては、刺激提示装置として、被検者の嗅覚に対して刺激を与える臭気発生装置４０と、被検者の聴覚に対して刺激を与える音発生装置６０（音発生装置は計測装置１０と一体化される）が接続される。このような計測装置、及び、刺激提示装置は、例えば、アルツハイマー型認知症（ＡＤ）やレビー小体型認知症（ＤＬＢ）に代表される神経変性性認知症、鬱、及び、統合失調症を発症しているか否か、そのタイプの鑑別に使用されてもよい。
【００１７】
一般的に、神経変性性認知症は、神経細胞の周りにアミロイドβ等の有害なタンパク質が溜まることにより、神経細胞を構成しているタンパク質が変性して発症することが知られている。また、このタイプを代表する認知症の種別（主にＡＤ，ＤＬＢの種別）については、ＡＤでは臭いの判別能力の低下、次に多く認められるＤＬＢでは臭いを感ずる能力の低下があること、嗅覚に臭いの刺激を与えたとき、刺激を検知すると脳波反応が起きること、検知の有無、程度については刺激後おおよそ３００msの脳波の頂点潜時・振幅によ
って、異なる臭いをかぎ分け能力については、脳波の時間周波数解析により把握できること等が知られている。更に、その嗅覚異常の原因が神経変性性認知症のような中枢神経に原因するか否かの判別には皮膚に対して両側同時刺激を与えたときの「消去現象」（両側同時刺激時に一方の刺激しか感じられない現象をいう）の確認により行うことが可能である。この確認は、計測装置１０に対して触覚刺激装置１４０を接続し、被検者に対して、指などに点状の押圧刺激を付与した際に賦活される脳波刺激を計測することで得られるのであり、後述するオドボール刺激を皮膚に対して与える方法により、定量的、他覚的に検出することが可能になる。
【００１８】
一方、脳の司令塔である前頭前野の働きの良否は、作業記憶（ワーキングメモリとも称される）により検知できることが知られている。作業記憶とは、たとえば１７＊５を計算する場合、５＊７＝３５を初めに求め、次に１０＊５＝５０を求め、最後に両者を合計する際、この初めに求めた３５を記憶している力をいう。作業記憶は、視覚、聴覚等に３点オドボール法（刺激成分ａを７０％、刺激成分ｂを２０％、刺激成分ｃを１０％等の様に区分して提示する方法）により刺激を提示したときの賦活脳波ａｂｃ各刺激時脳波の頂点潜時・振幅変化によって把握できることが知られている。
【００１９】
本実施形態による計測装置１０は、それに組み込まれている音発生装置６０（ヘッドホン型のスピーカ６１が対応する）によって、聴覚刺激による前頭前野の健全性、及び、それに接続される画像提示装置（例えば、ディスプレイ等）１３０との連動により視覚刺激による前頭前野の健全性を確認することができる。一般にＤＬＢでは視覚に対する作業記憶が、統合失調症では音に対する作業記憶が低下することが知られており、これらの刺激低ぞ装置を接続することにより、認知症及び神経疾患（精神疾患）を含む脳機能障害の鑑別に必要な情報（データ）を多面的、定量的、他覚的に取得できる。
【００２０】
なお、前述した頂点潜時とは、刺激出力開始時点からプラスの波形ピーク（例えばＰ３００成分など）又はマイナスの波形ピーク（例えばＮ２００成分など）が生じるまでの時間（ｍｓ）又はその生じた時点のことであり（図１４参照）、また、（頂点）振幅は、刺激出力開始前から出力開始時点までの脳波を平均して基線とし、この基線から各波形ピークまでの大きさ（図１４の縦軸）である。
【００２１】
前記計測装置１０は、測定中、被検者に対して負担を強いることなく且つ測定に際して正確な脳波（波形信号）が得られるように図られている。後述するように、被検者に対して臭気を提示する図６から図１０に示す臭気発生装置４０は、被験者の呼吸に合わせて特定の臭気（或いは臭気パターン）を提示するように構成されるため、被験者は嗅ぐことを強制されない。また、臭いの吐出量、集臭い袋容積（Ｓ１）は、１吸気容積に合わせているので残臭を生じさせない。さらに、提示回数も６回（２＊３回）で、馴致性を回避し計測時間の短縮に寄与している。すなわち、認知機能の衰えた被検者も問題なく検査できる。
【００２２】
また、聴覚についても、ヘッドホン型の音発生装置６０により、ノイズの少ない刺激提示が可能であるため、検査時間の短縮、ひいては被験者の負荷の軽減に寄与する（これは、視覚刺激においても同様である）。
【００２３】
上記のように、計測装置１０は、音発生装置６０を内在しており、また連動する臭気発生装置４０に接続される形態を成すため、携帯性及び装着固定性に優れ、例えば、各地方自治体が運営する医療・保健センター、地域病院、個人的な開業医などで簡単に使用して検査を容易に行なうことができる。
【００２４】
以下、計測装置１０の具体的な構成について図１〜図５及び図１３を参照して説明する。
本実施形態に係る計測装置１０は、図１及び図１３に示すように、被検者１００の両耳に当て付けられる一対の当付部５と、これらの当付部５同士の間に架け渡されて被検者１００の頭部１００ｂ上に装着されるヘッドバンド３とを備えた、いわゆるヘッドホン型で構成される。
【００２５】
なお、各当付部５は、連結部８を介して接続されており、この接続部８には、ヘッドバンド３の上方に外側バンド２が連結されて、被検者の頭部の大きさに合せて当付部５の長さを調整できるようになっている。また、各当付部５には、被検者１００の耳を覆うようにして当て付くように、スポンジ状の使い捨て可能なイヤパッド４が着脱自在に取り付けられる。或いは、使い捨て可能なイヤパッド４は、スポンジではなく、例えばプラスチック等により枠状に形成される図３（ａ）に示されるようなイヤパッド９で構成されていても良いし、そのようなイヤパッド９を図３（ｂ）に示すように、スポンジ状のイヤパッド４Ａに対して装着してももよい。
【００２６】
上記したように、各当付部５には、被検者１００に聴覚刺激を与える音を発生するように、刺激提示装置としての音発生装置６０が設けられる。この音発生装置６０は、各当付部５を構成するフレームに設けられており、計測装置１０が図１３に示すように、被検者１００の頭部１００ｂに装着された際、被検者１００の両側の耳を覆うように配設される一対のスピーカ６１を備えている。このスピーカ６１からは、ヘッドバンド３内に組み込まれた制御部（制御ユニット）２５を介して、異なる音階の音（提示音）がオドボール提示できるようになっている。なお、音源については、制御部に設けられている記憶部に予め格納されている音情報に基づいて提示しても良いし、外部装置（例えばパーソナルコンピュータなど）２００から入力されて提示するようにしても良い。
【００２７】
前記ヘッドバンド３には、その略中央部に、被検者１００に刺激（臭覚刺激や聴覚刺激など）を与えた際に得られる賦活脳波を検知する脳波検知部２０が貫通支持された状態で設置されている。この脳波検知部２０は、外部から被検者１００に刺激を与えた際に、脳波の変化が効果的に測定できる部位、具体的には、Ｎ２００，Ｐ３００と称される脳波が検知できる部位に当て付けられる電極部２１を備えている。すなわち、本装置の電極部２１は、国際１０−２０法に従うところの頭頂部領域である被検者１００の正中中心部（Ｃz）や正中頭頂部（Ｐｚ）に対して垂直方向から圧着されるようになっており、これにより、電極部の導電性能を最大化する構造（例えば、電極抵抗が５Ω以下に設定される）を備えている。また、電極部２１が当接する頭頂部領域は、感覚器官を刺激した際に生ずる体性感覚野における脳波の変化を広く測定できることから、計測装置として、１極のみの簡略な装置構成とすることを可能にした。
【００２８】
前記制御部２５は、信号処理回路、脳波解析アルゴリズムや各種制御プログラムを搭載したＣＰＵを組み込んでおり、例えば、縦寸法が２７．９ｍｍ、横寸法が１５．２ｍｍ、及び、厚さが２．５ｍｍ程度の大きさを備えた基板状に構成されたものを活用することができ、短い電気配線１９を介して電極部２１（正確には、後述する銀皿電極２８）に電気的に接続される。この制御部２５は、後述するバネ２７を固定する固定板（図示せず）から被検者１００の頭部１００ｂ側へ離間されてバネ２７の自由端に結合される可動安定板図示せず上に設けられてもよい。
【００２９】
前記脳波検知部２０は、電極部２１と、電極部２１を被検者１００の頭部１００ｂに押し付ける方向に付勢する手段としてのバネ２７とを備えており、電極部は、常時加湿型で、ディスポーズタイプとして構成されている。ここで、本実施形態の脳波検知部の詳細について説明する。
【００３０】
前記電極部２１は、バネ２７によって被検者１００の頭部１００ｂに押し付けられる方向に付勢されて銀皿電極２８を保持する一次電極部２１Ａと、銀皿電極２８と電気的に接触されて被検者１００の頭部１００ｂに直接に接触されるとともに生理食塩水が含浸されて成るフェルト電極２３を保持する二次電極部２１Ｂとを有する（図４の（ｂ）参照）。
【００３１】
この場合、二次電極部２１Ｂは、一次電極部２１Ａに対して着脱自在に取り付けられる。具体的には、例えば、二次電極部２１Ｂは、フェルト電極２３を保持するコネクタ（図示せず）を有し、このコネクタを介して一次電極部２１Ａの対応するコネクタに着脱自在に取り付けられる。すなわち、二次電極部２１Ｂは、衛生上の観点から被検者１００毎に交換できるようになっている。なお、銀皿電極２８は、導電部２８ａ及び電気配線１９を介して制御部２５に電気的に接続される。また、一次電極部２１Ａは、バネ２７の端部を保持するバネガイド２７Ａを有する。
【００３２】
また、一次電極部２１Ａは、生理食塩水を収容する収容体２９と、二次電極部２１Ｂが一次電極部２１Ａに取り付けられる際に収容体２９を開放して収容体２９内の生理食塩水をフェルト電極２３に常時浸み込ませる手段とを更に有する。
【００３３】
具体的には、収容体２９は、筒状本体２９ａの上下に上蓋２２と底蓋２４とを取着することにより画定される内部空間内に生理食塩水を収容して成り、底蓋２４は、図５の（ｂ）及び（ｃ）に示されるように、収容体２９内に摺動可能に嵌合されるとともに二次電極部２１Ｂが一次電極部２１Ａに取り付けられていない状態で銀皿電極２８に当て付く嵌合当接部２４ｃと、嵌合当接部２４ｃから下方に突出して銀皿電極２８の中心貫通孔２８ｂを貫通する下方突出部２４ｂとを有する。
【００３４】
前記底蓋２４は、二次電極部２１Ｂが一次電極部２１Ａに取り付けられる際に、その下方突出部２４ｂにフェルト電極２３の上方突出部２３ａが当て付いて収容体２９内へと押し上げられることにより、嵌合当接部２４ｃに形成される複数の流通孔２４ａを通じて収容体２９内の生理食塩水を嵌合当接部２４ｃと銀皿電極２８との間の隙間（押し上げられることにより形成される隙間Ｓ）に導出させて（導出される生理食塩水が図４の（ｂ）に矢印で示される）、この隙間Ｓに入り込む上方突出部２３ａを通じてフェルト電極２３に生理食塩水を浸み込ませるようになっている。
【００３５】
すなわち、フェルト電極２３及び底蓋２４の突出部２３ａ，２４ｂ及び流通孔２４ｃは、銀皿電極２８と共に、生理食塩水をフェルト電極２３に常時浸み込ませる前述した手段を構成する。或いは、これに代えて、（常時ではなく）電極部２１が被検者１００の頭部１００ｂに押し当てられた場合にのみ生理食塩水がフェルト電極２３に浸み込むようになっていてもよく、また、生理食塩水がフェルト電極２３に浸み込む形態は、前述した形態に限定されず、例えば毛細管現象等を利用して生理食塩水をフェルト電極２３に浸み込ませるようにしてもよい。
【００３６】
なお、電極部２１については、脳波信号が検出できるように導電性を有するものであれば、その素材については特に限定されることはない。例えば、二次電極部２１Ｂは、生理食塩水を含浸したフェルト電極２３により形成される必要はないが、生理食塩水を含浸したフェルトで構成することにより、被検者１００に対する当て付けがソフトになり、被検者１００に痛みやストレスを与えることなく、脳波を測定することが可能となる。
【００３７】
上記した電極部２１は、外部から刺激（臭覚刺激、聴覚刺激、触覚刺激、又は、視覚刺激・・・本実施形態の場合には、後述する臭覚刺激及び聴覚刺激）を与えた際、被検者１００の頭部１００ｂの正中中心部（Ｃz）のみに接触させた状態であっても、認知症の判別をすることが可能な賦活脳波を正確に取得することが可能であり、被検者１００に対する電極の装着が容易に行える構成となっている。すなわち、脳波測定に用いられる一般的な２１極タイプの電極を用いる必要がないため、測定に際して被検者１００に対する負担が軽減されるとともに、衛生面からも好ましい。なお、被検者１００に対しては、正中中心部（Ｃz）の微弱信号を取得するにあたり、電極部２１との間で電位差を生じさせるように、基準電極（図示せず）が耳朶等に装着される。
【００３８】
前記ヘッドバンド３には、制御部２５等の構成部品に対して電力を供給するとともに、計測装置１０の制御部２５と、計測装置１０に接続される装置（臭気発生装置４０等の刺激提示装置、コンピュータ等の外部装置２００）との間で各種信号の送受信を行なう電源ユニット９０Ａを有している。
【００３９】
具体的には、前記電極部２１によって検知された微弱信号（脳波信号）は、電源ユニット９０Ａから、Bluetooth（登録商標）、WiFi等の通信ポートを介して外部装置（脳波測定用のＰＣ等）２００に送信されてもよい。その場合には、計測装置１０で健診を受ける被検者１００は、複数年に亘って定期的に脳波データを蓄積することが可能であり、認知症の発症の有無や、その進行度について、より正確な診断結果を得ることが可能となる。すなわち、被検者１００から得られる脳波信号については、有線、無線を問わず、計測装置１０と接続される外部装置２００で管理してもよいし、そのような管理機能を計測装置１０が備えた構成であってもよい。
【００４０】
本実施形態の計測装置１０は、これに連動して臭気を発生させて被検者１００の鼻１００ａ（図１３参照）の鼻腔に向けて臭気を吐出させるとともに、臭気制御部１２５によって制御される臭気発生装置４０と接続される。なお、ここでの接続とは、有線、無線を問わず、両者が機能的に連動する関係を意味する。
【００４１】
以下、図６から図１０を参照して、臭気発生装置４０について説明する。
臭気発生装置４０は、臭気源（臭気ビン）４３と、該臭気源４３から臭気を吐出させるための吐出手段とを備える臭気発生部本体４５と、前記吐出手段により吐出される臭気を集束させる臭い送風ガイド（集臭体）４１と、集臭体４１により集束された臭気を被検者１００の鼻腔へ向けて供給するための供給手段とを有する。
【００４２】
ここで、臭気発生部本体４５は、筒状を成すとともに、例えば通気孔５１，９９（図７の（ａ）参照）を介して外気が流通できる空間を内部に形成しており、この内部空間には、前記吐出手段を構成する少なくとも１つの（本実施形態では３つの）圧電マイクロブロワ６５が臭気発生部本体４５の臭気吐出端部４５ａに固定されて配設される。
【００４３】
前記臭気吐出端部４５ａには、略円錐形状を成す例えばビニールにより形成される使い捨て可能な前記集臭体４１の幅広の底部が、環状の止めリング９３を外側から嵌め付けることにより着脱自在に取り付けられる。この場合、止めリング９３は、例えば金属製のものであり、臭気発生部本体４５の内面の対応する取り付け位置に固着された磁石９７によって磁気的に強固に固定される。なお、使い捨て可能な集臭体４１が臭気吐出端部４５ａから取り外された不使用状態では、臭気の漏れを防止するために、図６の（ｂ）に示される保護カバー７０が臭気吐出端部４５ａに着脱自在に取り付けられてもよい。
【００４４】
また、臭気吐出端部４５ａは、臭いが付着し難い材料から形成されており、その周辺部位に設けられる複数（本実施形態では２つ）の通気孔、臭気発生部本体４５の内部を外部に連通させる貫通孔５１と、その内側に圧電マイクロブロワ６５の数に対応する数で設けられる臭気吐出孔５２とを有する。また、各臭気吐出孔５２には、対応する圧電マイクロブロワ６５により保持される臭気源としての試料ビン４３の吹き出しノズル４３ａが、集臭体４１により画定される集臭空間（Ｓ１）（例えば容積５００ｍｌ）内へ向けて臭気を吐出するように位置されている。
【００４５】
各圧電マイクロブロワ６５に保持される試料ビン４３は、認知症等の判別に用いられる臭気（例えばメントール、カレー、みかん、バラ等の臭気）を内部に封入しており（例えば、本実施形態では、３つの試料ビン４３のうちの１つは無臭）、その上部に設けられた吹き出しノズル４３ａを介して臭いを排出するようになっている。本実施形態の臭気発生部４０は３つの試料ビン４３を有するため、３種類の臭気を被検者１００に対してが提示可能である。
【００４６】
なお、集臭体４１により集束された臭気を被検者１００の鼻腔へ向けて供給するための前記供給手段は、集臭体４１の円錐頂部に固定された支持部材４４と、この支持部材４４により支持される複数のカニューラ４２とから構成される。各カニューラ４２は、使用時には、その先端吐出部が被検者１００の鼻孔付近に位置されて、集臭体４１内の集束された臭気を吐出させる。
【００４７】
臭気ビン４３から臭気を吐出させるための吐出手段を構成する前述した圧電マイクロブロワ６５は、図８及び図９に示されるように、試料ビン４３と一体を成しており、矩形状の平板４３ｂ，４３ｂ’をスペーサ４３ｃを介在して重ね合わせ、下面側の平板（ダイヤフラム）４３ｂ’に圧電素子４９を取着することで、平板４３ｂ，４３ｂ’間の空間Ｓ２をポンプ室として機能させるダイヤフラム型のポンプＰを上下二段に重ね合わせて構成される。そして、圧電素子４９に印加電圧を加えることで、下側の平板４３ｂ’が振動してポンプＰが作動し、それにより、試料ビン４３に収容されている臭気は、矢印で示されるように移動して、試料ビン４３の吹き出しノズル４３ａを介して上方に向けて集臭空間（Ｓ１）内へと吐出される。このように複数のポンプＰを組み合わせることにより、臭気の吐出力を高めることができる。
【００４８】
なお、本実施形態の臭気ビン４３は、臭気を発する試料を多孔質素材７２（図１０参照）に含浸させた状態で内部にほぼ密に収容することにより成る。このように多孔質素材７２を用いると、保温力が高められ、気化が促進させるとともに、臭気の漏出を防げるが、これに限定されない。
【００４９】
また、本実施形態の臭気発生装置４０は、発生された臭いを除去する臭い除去部を有することが好ましい。そのような臭い除去部は、臭気発生装置４０で臭いを放出して測定が終了する毎に駆動される排気ファン８１（臭気発生部本体４５の通気孔９９付近に配置される・・・図７の（ａ）参照）、又は、残臭を除去するフィルタ（図示せず）等によって構成することが可能である。
【００５０】
また、本実施形態の臭気発生装置４０は、その高さ及び傾きを調整するための調整手段を有する。具体的に、この調整手段は、図６及び図７に示されるように、基台４７と、この基台４７の両側から垂直上方に延びる支柱４８とを有し、支柱４８に形成される上下方向に延びるスリット４８ａに臭気発生部本体４５の両側から延びる軸部５８が回転可能（傾動可能）且つ上下動可能に通され、位置決め部材５３を用いてこの軸部５８を支柱４８に対して所定の上下位置及び角度位置に固定することにより、臭気発生装置４０の高さ及び傾きを調整できるようになっている。なお、基台４７には、圧電マイクロブロワ６５の圧電素子４９に対して配線５９を通じて電圧を印加できる電源９０Ｂが埋め込まれており、電源９０Ｂからは給電用の電気ライン９１が延びている。
【００５１】
また、本実施形態の計測装置１０は、被検者１００の呼吸の状態を検知するための呼吸検知部を備えている。呼吸検知部は、図１及び図１３で示すように、計測装置１０の当付部５からアーム７を介して延在して、被検者１００の顔面（特に口部）と対向して位置されるよう呼吸センサ４６で構成される。この場合、呼吸センサ４６は、一方の当付部５からアーム７を介して口部領域に位置付けされるように構成されているが、両方の耳当て部から一対のアームを介して位置付されるように構成されていてもよい。
【００５２】
具体的に、この呼吸センサ４６は、赤外線フラップ方式の呼吸センサとして構成されており、図１１に示されるように、発光部８１と、受光部８２と、支軸８４を中心に回動可能に設けられて被検者１００からの呼気１１０によって作動（摺動）するフラップ８３と、フラップ８３に設けられるとともにフラップ８３の作動に伴って発光部８１と受光部８２との間の光路８８に侵入して発光部８１から受光部８２へ向かう光を遮断する遮光体８５とを有する。
【００５３】
このような呼吸センサ４６によれば、フラップ８３が呼気１１０によって上方へ回動して光路８８が遮断された後、呼気１１０が供給されなくなりフラップ８３が下方へ戻って光路８８が回復された時点を吸気初めと判断できる。
【００５４】
本実施形態の計測装置１０では、上記した呼吸センサ４６で得られた検知信号を臭気発生装置４０に組み込まれた臭気制御部１２５に送信し、呼吸センサ４６が被検者１００の吸気状態を検知したときに臭気が吐出するように臭気発生装置４０が制御されるようになっている。具体的には、臭気制御部１２５は、呼吸センサ４６が被検者１００の吸気状態を検知したとき（検知信号を受けたとき）に、試料ビン４３から臭気が発生するように、臭気発生部４０の圧電素子４９に電圧を印加する。このような制御は、前述したフラップ８３の作動状態を呼吸センサ４６により検知することによって得られる図１２に示されるような呼吸波形において呼気から吸気への移行時点（吸気初め）をトリガとして臭気吐出を行なう（臭気発生部４０を作動させる）ことにより実現できる。
【００５５】
なお、呼吸センサ４６は、このような赤外線フラップ方式に限定されず、熱電対によって被検者１００の温度変化を検知するもの、レーザ光によって呼吸時の胸部の膨らみを検知するもの等で構成することもできる。
【００５６】
上記したように構成される計測装置１０を用いて、認知症及び神経疾患（精神疾患）を含む脳機能障害の鑑別に必要な情報（賦活脳波データ）を多面的に取得する場合には、図１３に示されるように、計測装置１０を被検者１００の頭部に装着する。具体的には、被検者１００の両耳に一対の当付部５を当て付けた状態で、被検者１００の頭部１００ｂ上にわたってヘッドバンド３を架け渡すと共に、外側バンド２を利用して長さ調整を行なう（被検者に対して最適な位置で装着を行なう）。これにより、ヘッドバンド３に設けられた電極部２１のフェルト電極２３が頭部１００ｂの所定位置に当て付くことで、バネ２７の付勢力に抗して電極部２１が持ち上がり（図２及び図４の（ａ）の破線参照）、頭部１００ｂに対する電極部２１の接触圧が高められると同時に、フェルト電極２３は収容体２９からの生理食塩水によって常に湿った状態に維持される。
【００５７】
この状態で、続いて、被検者１００に臭覚刺激を与える場合には、臭気発生装置４０の高さ及び傾きを調整しつつ、臭気発生装置４０のカニューラ４２を被検者１００の鼻孔付近に位置させて（図１３参照）、臭気発生装置４０を作動させる。具体的には、試料ビン４３の圧電素子４９に印加電圧を加えることで、所定のいずれか１つの試料ビン４３内の臭気が、臭気吐出端部４５ａから集臭体４１を通じてカニューラ４２により被検者１００の鼻腔に吐出され、これにより被検者１００の脳波が賦活され、そのときの脳波データが脳波検知部２０により取得される。
【００５８】
脳波データを測定する際には、例えば、被検者に対して、１０回提示される空気吐出（無臭ａと有臭ｂの任意の吐出で、有臭ｂの数を数えるような課題（２点オドボール課題）を与えておき、特定の臭気に反応する際の賦活脳波を測定し、この脳波データの取得を所定時間で行なう。この場合、所定時間は、通常、人の自然呼吸が２．５秒から３秒程度であり、吸気状態は概ね１秒〜１．５秒程度であることを考慮すると、脳波データの取得については、前述の２点オドボール提示、提示回数１０回では、４０秒から４５秒で１回の提示を完了することができる。
【００５９】
そして、無臭、有臭に関わらず提示後１秒（１０００ｍｓ）の賦活脳波データを対比することにより、被検者の脳波が正常か否かを判定することができる。このときの吸気時の賦活脳波波形の一例が図１５に示される。図１５は、臭気別（上の曲線は標的刺激で予測される正常者の成分曲線で、下の曲線は標準刺激に対する成分曲線）の周波数ごとの出現量をグラフ化したものである。被検者の計測結果に応じて、このような周波数ごとの出現量を取得することができるため、得られた成分曲線を、このような正常者の成分曲線と対比することで、被検者の脳波の状態が正常なものか否かが鑑別することが可能となる。
【００６０】
なお、嗅覚を刺激することで賦活される脳波の頂点潜時は、加齢にもよるが、２００ｍｓ〜５００ｍｓ程度で現れることから、前述した時間の範囲の脳波データが取得できれば、頂点潜時の前後のデータを十分に比較することが可能である。
【００６１】
臭いが提示されてから所定時間が経過すると脳波データの取得が停止され、圧電素子４９の駆動も停止され、また、ファン８１の作動等により残臭も排除される。その後、引き続き、別の試料ビン４３の圧電素子４９に印加電圧を加えることで、別の臭気の吐出作業が前述したように行なわれる。そして、このような吸気時における賦活脳波の取得は、所定回数（例えば１０回の提示をワンセットとし３回程度で１検査とする）実行され、所定回数の脳波データが取得された段階で終了する。この場合、所定回数の脳波データを取得することで、脳波の加算平均を得ることが可能となり、より正確なデータを取得することができる。
【００６２】
すなわち、被検者１００の測定中に、外部環境によって脳波の波形が影響を受けることが考えられるが、複数回のデータを加算して平均データを取得することで、測定中の外部環境による脳波の変位を排除して正確な脳波データを取得することが可能となる。
【００６３】
前述したように、嗅覚を刺激して得られる賦活脳波は、臭いを提示してから所定時間後に波形がピークを呈する（頂点潜時）。この頂点潜時は、加齢によってある程度遅くなるが、年齢が若いにもかかわらず頂点潜時が遅い（例えば、図１４のＮ２００成分の遅れｔ1及びＰ３００成分の遅れｔ2参照）、或いは、頂点潜時において、十分な（頂点）振幅が得られていないのであれば、それは認知機能の衰えが予測される。したがって、嗅覚刺激を与える際に、頂点潜時の遅れ及び振幅の大きさを、上記した制御部２５（臭気発生装置の臭気制御部１２５や外部装置２００であっても良い）により数値的に解析することにより、アルツハイマー型認知症、レビー小体型認知症、鬱病、統合失調症等を鑑別することが可能となる。また、臭いの種別に対応した波形と、その臭いに対する正常な波形とを対比することによって、症状の種別や進行具合についても鑑別することが可能である（アルツハイマー型認知症に関しては、２臭で周波数分析をすることで鑑別することが可能である）。
【００６４】
また、本実施形態の計測装置１０では、多面的なデータ取得に寄与するべく、音発生装置（音発生部）６０を利用して賦活脳波データを測定することもできる。例えば、被検者１００に対し、当付部５に設けられた一対のスピーカ６１から、前記制御部２５を介して音階が異なる２つ以上の音をランダムに提示し（聴覚刺激を与え）、特定の音階の音（ターゲット音）の数を数えるような課題（３点オドボール課題）を与えた際の賦活脳波を測定することで、作業記憶が正常に機能しているか否かを判別することが可能となる。
【００６５】
具体的な手法として、上記オドボール課題において、被検者に対し、３つの異なる音階の音をランダム（３０回程度）に与え、特定の音階の音について数を数えさせるという課題（３点オドボール課題であり、標準音を７０％、ターゲット音を２０％、妨害音１０％の割合で提示する）を与えると、被検者１００はターゲット音に対して意識を集中するようになり、ターゲット音が発音してから所定の時間が経過したときに、脳波には頂点潜時が現れる。
【００６６】
図１６のグラフは、被検者に対して３点オドボール課題を提示して得られた脳波の波形の一般例を示しており、正常者（作業記憶容量が大きい人）であれば、標準音、ターゲット音、妨害音に対して上段のような波形が得られるのに対し、作業記憶量が弱い人は、中段で示すように、妨害音についても反応する傾向が現れ、作業記憶量が無い人は、下段で示すように、標準音、ターゲット音、妨害音のいずれも反応が小さくなる傾向が現れる。すなわち、聴覚提示して賦活脳波の波形を取得することにより、被検者の作業記憶が正常に機能しているか否かを鑑別することが可能となる。
【００６７】
また、通常であれば、ターゲット音が発音されてから２００ｍｓ付近に陰性の振れが現れ、３００ｍｓ付近に陽性の振れが現れる。これらは、前述したようにＮ２００，Ｐ３００とも称されており、取得された波形データの加算平均を取得することで、被検者２００は、ターゲット音に対してＮ２００，Ｐ３００が誘発されているか否かが明確に把握でき、これらが正確に誘発されていなければ（すなわち、頂点潜時が遅れる又は早くなる）、作業記憶に異常を来していることが鑑別できる。
【００６８】
以上説明したように、本実施形態の計測装置１０によれば、被検者１００に刺激を与えた際に得られる賦活脳波を検知する脳波検知部２０と、被検者１００に聴覚刺激を与えるための音発生装置６０とを備えており、被検者１００に、吸気時に臭覚刺激を与えるための臭気発生装置４０が接続されているため、脳機能障害の鑑別に必要なデータの多面的な取得が可能になり、認知症及び神経疾患（精神疾患）を含む脳機能障害の効率的で高精度な鑑別に寄与し得る。
【００６９】
図１８は、賦活脳波計測装置の別の実施形態を示す図である。
上記した実施形態の賦活脳波計測装置は、ヘッドホン型に構成されており、その内部に音発生装置６０を組み込んだ構成となっていたが、被検者の頭部に対して、一対の当付部５Ａを直接当て付けて装着するように構成しても良い。このように賦活脳波計測装置については、より簡易な構成にしてもよい。
【００７０】
以上、本発明の実施形態について説明したが、本発明は、上記した実施形態に限定されず、その要旨を逸脱しない範囲で種々変形実施可能である。例えば、上記した実施形態では、更に、視覚刺激や触覚刺激を被検者に与える刺激提示装置が接続されていても良く、そのような刺激提示装置の構成については、その構成を適宜変形することが可能である。また、脳波検知部の具体的な構成についても適宜変形することが可能である。
【符号の説明】
【００７１】
３  ヘッドバンド
５  当付部
１０  賦活脳波計測装置
２０  脳波検知部
２１  電極部
２１Ａ  一次電極部
２１Ｂ  二次電極部
２５  制御部
２３  フェルト電極
２８  銀皿電極
２７  バネ（付勢手段）
２９  収容体
４０  臭気発生装置（刺激提示装置）
４６  呼吸検知部（呼吸センサ）
６０  音発生装置（刺激提示装置）
【図１】
2018183283.tif 000003
【図２】
2018183283.tif 000004
【図３】
2018183283.tif 000005
【図４】
2018183283.tif 000006
【図５】
2018183283.tif 000007
【図６】
2018183283.tif 000008
【図７】
2018183283.tif 000009
【図８】
2018183283.tif 000010
【図９】
2018183283.tif 000011
【図１０】
2018183283.tif 000012
【図１１】
2018183283.tif 000013
【図１２】
2018183283.tif 000014
【図１３】
2018183283.tif 000015
【図１４】
2018183283.tif 000016
【図１５】
2018183283.tif 000017
【図１６】
2018183283.tif 000018
【図１７】
2018183283.tif 000019
【図１８】
2018183283.tif 000020